【手続補正書】
【提出日】平成16年11月22日(2004.11.22)
【手続補正１】
【補正対象書類名】明細書
【補正対象項目名】全文
【補正方法】変更
【補正の内容】
【書類名】      明細書
【発明の名称】  インクジェット記録用水性インク
【特許請求の範囲】
【請求項１】  インクジェットプリンタに使用するインクジェット記録用水性インクであって、
少なくとも分散着色剤と、プロピレングリコールエーテルと、下記一般式（１）で表されるランダム共重合体からなる界面活性剤とを含有する
ことを特徴とするインクジェット記録用水性インク。
【化１】
2004277605.tif 000001
一般式（１）中、Ｒは炭素数３〜５のアルキル基を表し、ｍは４５〜５５の整数であり、ｎは４５〜５５の整数である。
【請求項２】  前記一般式（１）で表されるランダム共重合体からなる界面活性剤の含有量が、前記インクジェット記録用水性インクに対して０．０１〜１０重量％であることを特徴とする請求項１記載のインクジェット記録用水性インク。
【請求項３】  前記プロピレングリコールエーテルが、ジプロピレングリコールモノプロピルエーテル、ジプロピレングリコールモノブチルエーテル又はトリプロピレングリコールノルマルブチルエーテルであることを特徴とする請求項１又は２記載のインクジェット記録用水性インク。
【請求項４】  前記プロピレングリコールエーテルの含有量が、前記インクジェット記録用水性インク全量に対して０．０１〜１０重量％であることを特徴とする請求項１〜３のいずれかに記載のインクジェット記録用水性インク。
【発明の詳細な説明】
【０００１】
【発明の属する技術分野】
本発明は、インクジェット記録装置において用いられるインクジェット記録用水性インクに関する。
【０００２】
【従来の技術】
インクジェット記録方式は、例えば、静電吸引方式；圧電素子を用いてインクに機械的振動又は変位を与える方式；インクを加熱することにより気泡を発生させ、その時の圧力を利用する方式等のインク吐出方式によりインク小滴を形成し、それらの一部又は全部を紙等の被記録材に付着させて記録を行うものである。このようなインクジェット記録方式に使用するインクジェット記録用水性インクとしては、各種の水溶性染料又は顔料を、水又は水と水溶性有機溶剤とからなる液媒体に溶解又は分散させたものが使用されている。
【０００３】
このようなインクジェット記録用水性インクには、長時間にわたって良好な記録を行うために、粘度、表面張力及び密度等の特性値が適当な値であること；インクジェット記録装置のノズル、オリフィスでの目詰まりを防止し、安定して吐出するために熱等により析出物が生じたり、物性値が変化したりしないこと；記録画像が耐水性、耐光性等に優れていること等の条件が必要とされる。
【０００４】
一般的なインクジェット記録用水性インクを用いてインクジェットプリンタにより記録を行う際には、滲みのない良好な印字品質を得るために、インクジェット専用紙を用いることも少なくない。しかしながら、近年では、ランニングコスト、環境への配慮からインクジェット専用紙に記録するよりも普通紙への記録需要が高まってきている。また、家庭及びオフィス向け市場では、モノクロよりもカラーでの記録の方が圧倒的に需要が高いことから、カラーインクジェットプリンタが主流となっており、普通紙に良好な印字品質でカラーでの記録を行えることが求められている。
【０００５】
しかしながら、普通紙への印字品質は未だ充分でなく、その主な要因としては種々の要因を挙げることができる。ひとつはフェザリングといわれる問題であり、インクが記録紙中に浸透する際に、記録紙の紙繊維に沿って不均一に滲み、画像部のエッジがギザギザになってしまって、シャープな画像部のエッジが得られないというものである。
【０００６】
これに対して、従来、フェザリングを防止して印字品質を改善するための一般的な手法としては、表面張力を高くして記録紙の紙繊維へ滲み難いインク組成とする方法が広く知られており、例えば、特許文献１では、インクの表面張力を４０ｍＮ／ｍ以上にしてインクの記録紙表面に沿った浸透を抑制し、フェザリングを防止する技術が開示されている。しかし、この方法では、インクの紙へのぬれ性が低下し、記録紙上において隣同士のインクが連続せずに不連続な状態となり、インクの広がりが不足した印字品質となる。また、それを回避するには膨大なインク量を吐出することも考えられるが、コスト的な問題やインクの乾燥時間がかかり過ぎる等の新たな問題を呼び起こす。従って、適度な液滴量で、適度にかつ均質に広がるインクが必要である。
【０００７】
一方、インクジェット記録用水性インクの浸透性を高めるための一般的な手法としては、浸透剤としてジエチレングリコールモノブチルエーテル等の多価アルコールのアルキルエーテルをインクに配合したり、界面活性剤を配合したりすることで、記録紙上での隣同士のインク液滴を連続させ印字品質を改良する方法が広く用いられており、例えば、特許文献２では、インクに特定の浸透剤と界面活性剤とを配合し、表面張力を下げて紙内部への浸透性を高める技術が開示されている。しかし、この方法では、インクが紙繊維に沿って不均一に広がる現象を抑制することができず、画像部のエッジが滲み、フェザリングが起こりやすくなってしまう。
【０００８】
このように、従来のインクジェット記録用水性インクでは、普通紙において、フェザリングの防止とインクの広がり不足の防止とを両立することが困難であるという問題があった。
【０００９】
また、インクジェットプリンタに新品のインクカートリッジを装着した際に、インクジェット記録用水性インクがプリンタヘッドのインク流路中にスムーズに導入されないと、使用開始時にインクの不吐出という問題が生じることから、インクジェット記録用水性インクには、上述したフェザリング及びインクの広がり不足の防止に加えて、更に、プリンタヘッドのインクの初期導入性が優れることも要求される。
【００１０】
ところが、近年、インクジェットプリンタ用のプリンタヘッドは小型化が進められており、例えば、圧電素子を用いた圧電式インクジェットプリンタ用のプリンタヘッドとして、インク流路の一部が形成された複数のシートを積層して形成された積層型プリンタヘッドが知られている。この積層型プリンタヘッドは、低コストで小型化を実現するとともに、その内部に狭く複雑な構造のインク流路を形成することができる。しかし、図２に示すように、インク流路１４ａ、１４ｂ、１４ｃの内周面に形成された屈曲部１５ａ、１５ｂや積層シート１０ａ、１０ｂ、１０ｃの隙間等に気泡が残留しやすく、インク流路内にインクジェット記録用水性インクをスムーズに導入させることができず、インクの初期導入性を満足させることが特に困難であった。なお、図２は、積層型プリンタヘッドの一部拡大断面図である。
【００１１】
そこで、インクジェット記録用水性インクのインクの初期導入性を向上させる方法として、インクジェット記録用水性インクに界面活性剤を適量添加し、その表面張力を最適値まで下げ、プリンタヘッドのインク流路内壁とのぬれ性を向上させる方法が知られている。
【００１２】
しかしながら、インクジェット記録用水性インクに界面活性剤を添加し、表面張力を下げることにより、インク流路へのインクジェット記録用水性インクの初期導入性を向上させる方法では、インクの表面張力が低下すると同時に、記録紙へのぬれ性が高まり、画像部のエッジが滲んでフェザリングが発生する問題があった。
即ち、従来のインクジェット記録用水性インクでは、プリンタヘッド（特に積層型プリンタヘッド）へのインクの初期導入性とフェザリングの防止とを両立させることが困難であるという問題があった。
【００１３】
このように、従来の手法で普通紙に記録した場合、記録紙上でインクのフェザリングやインクの広がり不足が発生したり、プリンタヘッドへのインクの初期導入性に問題が生じたりする等の問題が、全て又はいずれかが発生して、満足できる印字品質のものを得られないという問題があった。
【００１４】
【特許文献１】
特開平８−２５９８６４号公報
【特許文献２】
特開平８−２８３６３１号公報
【００１５】
【発明が解決しようとする課題】
本発明は、上述した問題点を解決するためになされたものであり、インクジェットプリンタに搭載するプリンタヘッドのうち、特に、積層型プリンタヘッドのインク流路へのインクの初期導入性が良好であり、普通紙へ記録してもフェザリング及びインクの広がり不足の発生がないインクジェット記録用水性インクを提供することを目的とする。
【００１６】
【課題を解決するための手段】
本発明は、インクジェットプリンタに使用するインクジェット記録用水性インクであって、少なくとも分散着色剤と、プロピレングリコールエーテルと、下記一般式（１）で表されるランダム共重合体からなる界面活性剤とを含有するインクジェット記録用水性インクである。
【００１７】
【化２】
2004277605.tif 000002
【００１８】
一般式（１）中、Ｒは炭素数３〜５のアルキル基を表し、ｍは４５〜５５の整数であり、ｎは４５〜５５の整数である。
以下に本発明を詳述する。
【００１９】
本発明者らは、鋭意検討した結果、インクジェット記録用水性インクに、少なくとも分散着色剤と、プロピレングリコールエーテルと、上記一般式（１）で表されるランダム共重合体からなる界面活性剤とを含有させることにより、例えば、その内部に狭く複雑なインク流路が形成された積層型プリンタヘッドを搭載したインクジェットプリンタに使用する場合であっても、インクの初期導入性に優れるとともに、普通紙へ記録した際のフェザリング及びインクの広がり不足等を防止することができることを見出し、本発明を完成させるに至った。
【００２０】
本発明のインクジェット記録用水性インクは、分散着色剤を含有する。
上記分散着色剤としては特に限定されず、例えば、カーボンブラックの他、多くの無機顔料、有機顔料等が使用することができる。
上記無機顔料としては、例えば、酸化チタン、酸化鉄等を挙げることができる。
上記有機顔料としては、例えば、アゾレーキ、不溶性アゾ顔料、縮合アゾ顔料、キレートアゾ顔料等のアゾ顔料；フタロシアニン顔料、ペリレン及びペリノン顔料、アントラキノン顔料、キナクリドン顔料、ジオキサジン顔料、チオインジゴ顔料、イソインドリノン顔料、キノフタロン顔料等の多環式顔料；塩基性染料型レーキ、酸性染料型レーキ等の染料レーキ；ニトロ顔料、ニトロソ顔料、アニリンブラック昼光蛍光顔料等を挙げることができる。
また、その他の顔料であっても水相に分散可能なものであれば使用できる。更に、ポリマーを染料で染着した着色剤についても同様に使用できる。
上記分散着色剤は、単独で用いられてもよく、２種以上を併用して用いられてもよい。
【００２１】
本発明のインクジェット記録用水性インクにおいて、上記分散着色剤の含有量は、０．１〜２０重量％であることが好ましく、より好ましくは０．３〜１５重量％であり、更に好ましくは０．５〜１０重量％である。
【００２２】
本発明のインクジェット記録用水性インクは、プロピレングリコールエーテルを含有する。
上記プロピレングリコールエーテルは、その分子構造中に親油性成分である（ＣＨＣＨ３ＣＨ２Ｏ）骨格を含んでいるため、紙への浸透に優れている。従って、少量添加した場合でも充分にその効果を発揮し、記録紙上でインクのフェザリングを発生させることなく、インクの広がり不足を改善することができる。
【００２３】
上記プロピレングリコールエーテルとしては、例えば、プロピレングリコールモノメチルエーテル、ジプロピレングリコールモノメチルエーテル、トリプロピレングリコールモノメチルエーテル、プロピレングリコールモノプロピルエーテル、ジプロピレングリコールモノプロピルエーテル、プロピレングリコールモノブチルエーテル、ジプロピレングリコールモノブチルエーテル、トリプロピレングリコールノルマルブチルエーテル、プロピレングリコールモノフェニルエーテル、ジプロピレングリコールジメチルエーテル等を挙げることができる。
なお、本発明のインクジェット記録用水性インクにおいて用いられるプロピレングリコールエーテルは、これらに限定されるものではない。
【００２４】
上記プロピレングリコールエーテルの含有量は、インク全量に対して０．０１〜１０重量％であることが好ましい。０．０１重量％未満であると、インクの記録紙への浸透速度が遅く、乾燥時間、インクの広がりに問題を生じることがある。また、１０重量％を超えると、インクの記録紙への浸透度合いが大きくなり過ぎ、記録紙の裏までインクが達してしまったり、フェザリング発生させることがある。より好ましくは０．１〜３重量％である。
【００２５】
本発明のインクジェット記録用水性インクは、上記一般式（１）で表されるランダム共重合体からなる界面活性剤を含有する。上記一般式（１）で表されるランダム共重合体からなる界面活性剤は、その化学構造から（ＣＨ２ＣＨ２Ｏ）鎖の割合と（ＣＨＣＨ３ＣＨ２Ｏ）鎖の割合との比率がほぼ同じであるため、親水基と親油基のバランスに優れ、界面活性作用を持ちながら消泡効果も持ち合わせている。
また、上記一般式（１）で表されるランダム共重合体からなる界面活性剤は、炭素数３〜５のアルキル基を分子の末端に有する。上記アルキル基の炭素数が３未満であったり、炭素数が５を超えると親水基と親油基のバランスが崩れ、上記の効果を充分に発揮することができない。
【００２６】
従って、上記一般式（１）で表されるランダム共重合体からなる界面活性剤は、その界面活性作用により、本発明のインクジェット記録用水性インクと積層型プリンタヘッドのインク流路とのぬれ性を向上させ、本発明のインクジェット記録用水性インクをスムーズに上記インク流路内へ導入させることができる。一方、上記界面活性剤の消泡効果により、上記積層型プリンタヘッドのインク流路内に気泡が発生又は流入した場合でも、気泡を素早く破泡させることができ、気泡が目詰まりの原因となることを防ぐ作用を持つため、本発明のインクジェット記録用水性インクの安定吐出に効果があると考えられる。
上記一般式（１）で表されるランダム共重合体からなる界面活性剤のうち、市販されているものとしては、例えば、ライオン株式会社社製の商品名；レオコン等を挙げることができる。
【００２７】
上記一般式（１）で表されるランダム共重合体からなる界面活性剤の含有量は本発明のインクジェット記録用水性インクに対して０．０１〜１０重量％であることが好ましい。０．０１重量％未満であると、本発明のインクジェット記録用水性インクの消泡効果が不足し、インクの初期導入性が悪くなる。また、１０重量％を超えるとインクの記録紙への浸透度合いが大きくなり過ぎ、印字品質に悪影響を及ぼしたり、本発明のインクジェット記録用水性インクがプリンタヘッドのノズル周りを極端にぬらしてしまったりする等の不具合が発生し、結果として本発明のインクジェット記録用水性インクの安定吐出ができにくくなることがある。より好ましくは０．１〜３重量％である。
【００２８】
本発明のインクジェット記録用水性インクは、上記分散着色剤、プロピレングリコールエーテル及び界面活性剤のほか、水を含有する。
上記水は、一般の水ではなく、イオン交換水、蒸留水等の純度の高いものを使用することが好ましい。
上記水の含有量は、インクの全重量に対して１０〜９８重量％が好ましい。より好ましくは３０〜９７重量％であり、更に好ましくは４０〜９５重量％である。
【００２９】
本発明のインクジェット記録用水性インクの基本構成は以上の通りであるが、その他従来公知の各種分散剤、粘度調整剤、表面張力調整剤、ｐＨ調整剤、防腐防カビ剤等を必要に応じて添加することができる。
【００３０】
本発明のインクジェット記録用水性インクは、その液安定性を向上させるために、以下に挙げる材料を含有していてもよい。なお、上記液安定性とは、プリンタヘッドのノズルでの本発明のインクジェット記録用水性インクの乾燥防止（湿潤）効果を有することをいう。
【００３１】
上記液安定性を向上させる物質としては特に限定されず、例えば、エチレングリコール、ジエチレングリコール、トリエチレングリコール、ポリエチレングリコール、１，３−ブタンジオール、１，５−ペンタンジオール、１，６−ヘキサンジオール、グリセリン、１，２，６−ヘキサントリオール、１，２，４−ブタントリオール、１，２，３−ブタントリオール等の多価アルコール類；Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物；ホルムアミド、Ｎ−メチルホルムアミド、Ｎ，Ｎ−ジメチルホルムアミド等のアミド類；モノエタノールアミン、ジエタノールアミン、トリエタノールアミン、モノエチルアミン、ジエチルアミン、トリエチルアミン等のアミン類；ジメチルスルホキシド、スルホラン、チオジエタノール等の含硫黄化合物等を挙げることができる。これらの液安定性を向上させる物質は単独で用いられてもよく、２種以上が併用されてもよい。
上記液安定性を向上させる物質の本発明のインクジェット記録用水性インクにおける含有量は、本発明のインクジェット記録用水性インクの組成又は所望の特性に応じて広い範囲で決定されるが、一般に０〜４０重量％が好ましく、より好ましくは５〜３０重量％である。
【００３２】
本発明のインクジェット記録用水性インクは、種々のタイプのプリンタヘッドを搭載したインクジェットプリンタに使用することができるが、特に、その内部に狭く複雑な構造のインク流路が形成された積層型プリンタヘッドを搭載した圧電式インクジェットプリンタに好適に使用することができる。
【００３３】
図１は、上記積層型プリンタヘッドの拡大断面図である。
図１に示すように、上記積層型プリンタヘッドは、５０〜１５０μｍ程度の複数枚の積層（Ｎｉ−Ｆｅ合金）シート１０ａ、１０ｂ、１０ｃ、１１及び１３が積層して相互に接着された積層体の上に、電極と圧電材料層とが交互に積層されて構成された圧電アクチュエータ２０が接合された構成である。上記積層体には各積層シートにエッチング等によって形成した開口部を相互に連通させたインク流路１４が形成されている。また、最上層の積層シート１３には複数のインク室２１が形成され、上から第２層の積層シート１０ａには開口１８が形成され、上から第３〜４層の積層シート１０ｂ、１０ｃには共通インク室１２が形成され、最下層の積層シート１１の下面にはノズル孔１６を有するノズルプレート２２を接着されている。
【００３４】
このような構成の積層型プリントヘッドにおいて、インクジェット記録用水性インクは、インクカートリッジから共通インク室１２−開口１８−複数のインク室２１の順に導入される。そして、圧電アクチュエータ２０によってインク室２１内のインクジェット記録用水性インクに圧力を付与されると、積層シート１０ａ、１０ｂ、１０ｃ、１１に穿設したインク流路１４（図２に示した１４ａ、１４ｂ及び１４ｃ）を経て、ノズル孔１６からインクジェット記録用水性インクが吐出される。
インク流路１４は、インク室２１から離れた位置のノズル孔１６にインクジェット記録用水性インクを供給するために、各積層シート１０ａ、１０ｂ、１０ｃ及び１１に形成した開口部を図２に示したインク流路１４ａ、１４ｂ、１４ｃのように階段状にずらして構成されている。また、同様に共通インク室１２、開口１８、インク室２１の関係においてもインクの流路に屈曲部等が形成されている。
【００３５】
本発明のインクジェット記録用水性インクは、少なくとも分散着色剤と、プロピレングリコールエーテルと、上記一般式（１）で表されるランダム共重合体からなる界面活性剤とを含有する。上記プロピレングリコールエーテルは、その分子構造中に親油性成分である（ＣＨＣＨ３ＣＨ２Ｏ）骨格を含んでいるため、添加量が少量であっても紙への浸透に優れ、記録紙上でのインクのフェザリングに影響を及ぼすことなく、インクの広がり不足を改善することができる。また、上記一般式（１）で表されるランダム共重合体からなる界面活性剤は、界面活性作用と消泡作用とを併せ持つため、プリンタヘッドのインク流路とのぬれ性の向上と、該インク流路内に発生又は流入した気泡の素早い破泡とを実現することができる。従って、本発明のインクジェット記録用水性インクは、図１に示したような狭く複雑な構造のインク流路が形成された積層型プリンタヘッドを搭載した圧電式インクジェットプリンタに使用した場合であっても、インクの初期導入性が良好であり、また、記録紙上でのインクのフェザリングやインクの広がり不足が発生することもない。
【００３６】
【実施例】
以下に実施例を掲げて本発明を更に詳しく説明するが、本発明はこれらの実施例のみに限定されるものではない。
本発明に従ったインク組成を実施例として以下に示す。本発明はこの実施例に限定されるものではなく、これまでに記述された範囲で、用いられる材料物質、その量比及び作製条件を変更しても実施可能である。
【００３７】
（実施例１）
純水、分散着色剤としてキャボジェット３００ブラック（キャボット社製、ＣＡＢ−Ｏ−ＪＥＴ３００）、プロピレングリコールエーテルとしてジプロピレングリコールモノプロピルエーテル（略称ＤＰＰ：以下同様）、及び、Ｒ＝Ｃ４Ｈ９、ｎ＝ｍ＝約５０の上記一般式（１）で表されるランダム共重合体からなる界面活性剤を用い、表１に示した組成のインクジェット記録用水性インクを調製した。
【００３８】
【表１】
2004277605.tif 000003
【００３９】
（実施例２）
Ｒ＝Ｃ３Ｈ７、ｎ＝ｍ＝約５０の上記一般式（１）で表されるランダム共重合体からなる界面活性剤を用いた以外は、実施例１と同様にして、表２に示した組成のインクジェット記録用水性インクを調製した。
【００４０】
【表２】
2004277605.tif 000004
【００４１】
（実施例３）
Ｒ＝Ｃ５Ｈ１１、ｎ＝ｍ＝約５０の上記一般式（１）で表されるランダム共重合体からなる界面活性剤を用いた以外は、実施例１と同様にして、表３に示した組成のインクジェット記録用水性インクを調製した。
【００４２】
【表３】
2004277605.tif 000005
【００４３】
（実施例４）
プロピレングリコールエーテルとして、トリプロピレングリコールノルマルブチルエーテル（略称ＴＰｎＢ）を用いた以外は、実施例１と同様にして、表４に示した組成のインクジェット記録用水性インクを調製した。
【００４４】
【表４】
2004277605.tif 000006
【００４５】
（実施例５）
プロピレングリコールエーテルとして、ジプロピレングリコールモノブチルエーテルを（略称ＤＰＧＢＥ）を用いた以外は、実施例１と同様にして、表５に示した組成のインクジェット記録用水性インクを調製した。
【００４６】
【表５】
2004277605.tif 000007
【００４７】
（実施例６）
ＤＰＰの含有量を１．０重量％とし、純水の含有量を４０．２重量％とした以外は、実施例１と同様にして、表６に示した組成のインクジェット記録用水性インクを調製した。
【００４８】
【表６】
2004277605.tif 000008
【００４９】
（実施例７）
上記一般式（１）で表されるランダム共重合体からなる界面活性剤の含有量を０．３重量％とし、純水の含有量を３９．４重量％とした以外は、実施例１と同様にして、表７に示した組成のインクジェット記録用水性インクを調製した。
【００５０】
【表７】
2004277605.tif 000009
【００５１】
（比較例１）
純水、分散着色剤としてキャボジェット３００ブラック（キャボット社製、ＣＡＢ−Ｏ−ＪＥＴ３００）、及び、プロピレングリコールエーテルとしてＤＰＰを用い、上記一般式（１）で表されるランダム共重合体からなる界面活性剤は用いず、表８に示した組成のインクジェット記録用水性インクを調製した。
【００５２】
【表８】
2004277605.tif 000010
【００５３】
（比較例２）
純水、分散着色剤としてキャボジェット３００ブラック（キャボット社製、ＣＡＢ−Ｏ−ＪＥＴ３００）、及び、Ｒ＝Ｃ４Ｈ９、ｎ＝ｍ＝約５０である上記一般式（１）で表されるランダム共重合体からなる界面活性剤を用い、プロピレングリコールエーテルは用いず、表９に示した組成のインクジェット記録用水性インクを調製した。
【００５４】
【表９】
2004277605.tif 000011
【００５５】
（比較例３）
ジプロピレングリコールプロピルエーテル（ＤＰＰ）の代わりに、トリエチレングリコールブチルエーテル（ＢＴＧ）を用いた以外は実施例１と同様にして、表１０に示した組成のインクジェット記録用水性インクを調製した。
【００５６】
【表１０】
2004277605.tif 000012
【００５７】
（比較例４）
上記一般式（１）で表されるランダム共重合体からなる界面活性剤の代わりに、下記一般式（２）で表される界面活性剤を用いた以外は実施例１と同様にして、表１１に示した組成のインクジェット記録用水性インクを調製した。
【００５８】
【化３】
2004277605.tif 000013
【００５９】
一般式（２）中、Ｒは炭素数が１４〜１５のアルキル基を表す。
【００６０】
【表１１】
2004277605.tif 000014
【００６１】
（比較例５）
純水、染料（Ｃ．Ｉ．ダイレクトブラック１７）、プロピレングリコールエーテルとしてＤＰＰ、及び、Ｒ＝Ｃ４Ｈ９、ｎ＝ｍ＝約５０の上記一般式（１）で表されるランダム共重合体からなる界面活性剤を用い、表１２に示した組成のインクを調製した。
【００６２】
【表１２】
2004277605.tif 000015
【００６３】
（評価）
実施例１〜７及び比較例１〜５で調製したインクジェット記録用水性インクについて、プリンタヘッドへの初期導入性の目安とするため、粘度及び表面張力を測定した。
また、得られたインクジェット記録用水性インクのインクの起泡力、泡の安定度、インク導入性、フェザリング、インクの広がり及びインクの総合評価について、以下の方法により評価した。
なお、インク導入性、フェザリング及びインクの広がりの評価を行う際には、実施例１〜７及び比較例１〜５で調製したインクジェット記録用水性インクに超音波を照射しながら、真空ポンプを使用してインク容器中を真空状態とし、インク中に含有された気体を脱気した記録評価用のインクジェット記録用水性インクを使用した。得られた実施例及び比較例に係る記録評価用のインクジェット記録用水性インクを用いた記録は、インク流路の一部が形成されたシートを積層して作られた積層型プリンタヘッド（図１参照）を搭載した圧電式インクジェットプリンタ（ブラザー工業社製、ＭＦＣ３１００Ｃ）を用いてそれぞれ行った。
結果を表１３及び表１４に示した。
【００６４】
（１）インクの起泡力、泡の安定度
ＪＩＳ Ｋ ３３６２（１９９８）の起泡力と泡の安定度試験法に基づき、起泡力及び泡の安定度を測定し、消泡性の評価を行った。なお、消泡性の大きいインクジェット記録用水性インクとは、起泡力と泡の安定度との差が大きいインクのことをいう。
また、インクの初期導入性はインクジェットプリンタヘッドのインク流路を構成する部材とインクとの接触角が低いと良好となる。接触角はインクの表面張力と一般的に相関があり、インクの表面張力が４０ｍＮ/ｍ以下で、かつ、泡の安定度／起泡力が０．５以下であることが、初期導入性を良くするためには好ましい。
【００６５】
（２）インク導入性
インクカートリッジ交換後に、パージ（プリンター本体のポンプによるインクの吸引）を３回行い、全ノズル数に対する吐出ノズルの割合を評価対象とした。
評価基準は以下の通りである。
◎・・・パージ３回で全ノズル数に対する吐出ノズルの割合が１００％であった。
○・・・パージ３回で全ノズル数に対する吐出ノズルの割合が９５％以上であった。
△・・・パージ３回で全ノズル数に対する吐出ノズルの割合が９０％以上であった。
×・・・パージ３回で全ノズル数に対する吐出ノズルの割合が９０％未満であった。
【００６６】
（３）フェザリング
画像サンプルを記録し、フェザリングが起こっているか否かを評価した。画像サンプルは背景なしで単色の文字のみの部分と、単色のベタ印字部分とからなり、インクの滲みによるラインの乱れ及び文字の判別を評価対象とした。記録した文字の大きさはＭｉｃｒｏｓｏｆｔＷｏｒｄ９７を用いて文字のサイズを１１ポイントに設定し、普通紙（Ｘｅｒｏｘ４２００）を使用して記録した。
評価基準は以下の通りである。
◎・・・フェザリングがほとんどなく、文字が鮮明である。
○・・・僅かにフェザリングが発生しているが、文字は充分に判読できる。
△・・・明らかにフェザリングが発生しているが、文字は判読できる。
×・・・直線で明らかにフェザリングが発生しており、文字も不鮮明である。
【００６７】
（４）インクの広がり
（３）フェザリングで記録した画像サンプルのインクの広がりを評価した。
評価基準は以下の通りである。
◎・・・インクの広がり不足がほとんどなく、ベタ印字部のインクとインクの間に隙間が見えない。
○・・・僅かにインクの広がり不足があるが、マクロ的に観察すると、インクとインクの間に隙間がほとんど見えない。
△・・・僅かに広がり不足があり、マクロ的に観察すると、僅かにインクとインクの間に隙間が見える。
×・・・明らかに広がり不足があり、マクロ的に観察した場合もインクとインクの間に隙間が目立つ。
【００６８】
（５）総合評価
インク導入性、フェザリング及びインクの広がりのうち、最も悪い評価であったものを、そのインクの総合評価とした。例えば、インク導入性の評価：×、フェザリング：◎、インクの広がり：◎であった場合、印字品質がどんなによくてもインク導入性が非常に悪いため総合評価は×となる。
【００６９】
【表１３】
2004277605.tif 000016
【００７０】
【表１４】
2004277605.tif 000017
【００７１】
表１３に示したように、実施例で作製したインクジェット記録用水性インクでは、インク導入性が良好であり、記録紙上でのインクのフェザリングや、インクの広がり不足が低減された良好な記録を行うことができた。
【００７２】
一方、表１４に示したように、比較例で作製したインクジェット記録用水性インクにおいてはインク導入性が悪いか、あるいは、明らかにインクのフェザリング又は広がり不足が発生し、充分な印字品質を得られず、満足できる結果は得られなかった。比較例１においては、泡の安定度／起泡力の数値が０であり、インク導入性が良好な組成のように見えるが、界面活性剤が添加されていないため、表面張力が４０ｍＮ／ｍ以上と高く、積層型プリンタヘッドのインク流路構成部材とのぬれ性が低くなり、積層型プリンタヘッドのインク流路内にインクがスムーズに入ることができず、初期導入性が悪い結果となった。
【００７３】
以上のことより、分散着色剤と、プロピレングリコールエーテルと、上記一般式（１）で表されるランダム共重合体からなる界面活性剤とは、それぞれ単独で使用しても得られる効果は少なく、分散着色剤と、プロピレングリコールエーテルと、上記一般式（１）で表されるランダム共重合体からなる界面活性剤とを併用することによってインクジェットプリンタヘッドへのインクの初期導入性が良好であり、記録紙上でのインクのフェザリングがなく、インクの広がり不足を低減できるインクジェット記録用水性インクが得られることが確認できた。
【００７４】
【発明の効果】
本発明は、上述の構成よりなるので、プリンタヘッドのうち、特に、その内部に狭く複雑な構造のインク流路が形成された積層型プリンタヘッドの該インク流路への初期導入性が良好であり、普通紙へ記録してもインクのフェザリング及びインクの広がり不足の発生がないインクジェット記録用水性インクを提供することができる。
【図面の簡単な説明】
【図１】
積層型プリンタヘッドの拡大断面図である。
【図２】
積層型プリンタヘッドの一部を模式的に示した部分拡大断面図である。
【符号の説明】
１０ａ、１０ｂ、１０ｃ、１１、１３  積層シート
１２  共通インク室
１４ａ、１４ｂ、１４ｃ  インク流路
１５ａ、１５ｂ  屈曲部
１６  ノズル孔
１８  開口
２０  圧電アクチュエータ
２１  インク室
２２  ノズルプレート